(57)【特許請求の範囲】
【請求項１】
カメラレンズ鏡筒先端部に装着される円環状のフィルター枠本体はフィルター枠本体における入射光側を前面としカメラレンズ鏡筒側を後面となし、
該円環状のフィルター枠本体を略二分して入射光側前面に前筒枠を設けカメラレンズ鏡筒側後面に後筒枠を形成し、
前記前筒枠の内径部にはアタッチメント装着用の雌ネジ部を螺設し、
また前記後筒枠の外周部にはカメラレンズ鏡筒への螺着用雄ネジ部が螺設され、
該雌ネジ部を有する前筒枠と雄ネジ部を有する後筒枠からなる前記フィルター枠本体の中央部内部側にはフィルターレンズ保持環部がフィルター枠本体の光軸方向に突出して設けられ、
該フィルターレンズ保持環部の先端縁部には環状のフィルターレンズ前縁枠が設けられ、
該フィルターレンズ前縁枠の入射光側後方にフィルターレンズを嵌着保持し、
該フィルターレンズ前縁枠に嵌着保持されたフィルターレンズをフィルターレンズの入射光側後方の裏面にて挟持するカシメベロ部は前記フィルターレンズ前縁枠の入射光側後部よりフィルター枠本体の光軸方向に沿って延びる支持縁外周部にてリング形状の円筒形状環状体を形成し、
該カシメベロ部を形成するリング形状の円筒形状環状体の付け根部内径側には曲げ変形用円周溝を刻設し、
該刻設された曲げ変形用円周溝の底部入射光側後方縁部に曲げ変形内角部を設け、
該曲げ変形内角部を起点にカシメ加工を施す際に前記カシメベロ部を形成する円筒形状環状体は曲げ変形内角部より前記フィルターレンズの面取り部当接面を被覆してフィルターレンズの裏面に被覆加工された反射防止被膜加工面縁部までを被覆する長さを有したカシメベロ部からなることを特徴とするフィルター枠におけるフィルターレンズの保持機構。
【請求項２】
前記フィルターレンズ前縁枠の有効口径とフィルターレンズ後方にてカシメベロ部により挟持されるフィルターレンズの有効口径が同一となるようカシメベロ部を形成する円筒形状環状体の長さを設定したことを特徴とする請求項１に記載のフィルター枠におけるフィルターレンズの保持機構。
【請求項３】
前記カシメベロ部を形成するリング形状の円筒形環状体の付け根部に刻設された曲げ変形内角部の内径側にカシメベロ部の折り曲げ補助用のＶ字形状のカット溝を設けたことを特徴とする請求項１及び請求項２のいずれかに記載のフィルター枠におけるフィルターレンズの保持機構。
【請求項４】
前記カシメベロ部を形成するリング形状の円筒形環状体の先端部においてフィルターレンズの面取り当接面角部に先端折り曲げ補助用のＶ字形状のカット溝を設けたことを特徴とする請求項１乃至請求項３のいずれかに記載のフィルター枠におけるフィルターレンズの保持機構。
【発明の詳細な説明】
【技術分野】
【０００１】
本発明は、フィルター枠におけるフィルターレンズ保持機構の改良に関するものである。
【０００２】
本発明におけるフィルターレンズの保持機構は、フィルター枠の光軸方向の寸法、即ちフィルター枠の厚さを薄型に形成することができ、また、フィルター口径の決まったフィルターにおいてフィルター枠内に内蔵されるフィルターレンズの有効径を最大限大きく取ることの可能なフィルター枠におけるフィルターレンズの保持機構を提供して、望遠レンズや広角レンズの前面に装着してもケラレにくいフィルター枠を提供するものである。そして、本発明におけるフィルターレンズの保持機構は、フィルターレンズをフィルター枠内に内蔵、保持する際の固着時において、当該フィルターレンズには、物理的な歪や加熱による歪を付加しない状態にてフィルター枠内に各種のフィルターレンズを保持可能なカシメ加工手段を提供するものである。
【背景技術】
【０００３】
本発明に係るフィルター枠は、特にレンズ保護用のフィルター、円偏光フィルター、光量減少用フィルターや、特殊効果をもたらす光条効果用フィルター、被写体を柔らかく表現できるソフトフォーカス用フィルター等、利用価値の大きなデジタルカメラ用の各種フィルターレンズの保持機構に関するものである。
【０００４】
デジタル１眼レフカメラの普及に伴いファインダーや液晶画面でフィルターの使用効果をダイレクトに確認しながら撮影することや、種々の交換レンズを装着し、その交換レンズ鏡筒先端部に各種効果を有するフィルターを装着してカメラ撮影を楽しむことが可能になってきた。
【０００５】
然しながら、フィルターは、フィルター枠本体内に各種の効果を有する円盤状のフィルターレンズを内蔵、保持し、該フィルター枠本体の入射光側の内径には、その前縁部から後方に向けてフード等のアタッチメントや異なるフィルターの重ね合わせ用に雌ネジ部が螺設してある前筒枠部が形成されており、また、フィルター枠本体のカメラレンズ鏡筒側の外径にはカメラレンズ鏡筒内径部に設けられた装着用の雌ネジ部に螺着される雄ネジ部が螺設してある後筒枠部が形成されている。
【０００６】
従って、フィルター枠本体における光軸方向の寸法、即ちフィルター枠本体の厚さは、前記雌ネジ部が螺設された前筒枠部と、フィルターレンズの厚さ、並びにフィルターレンズ保持用の環状リングの厚さ、そしてカメラレンズ鏡筒側内径部に螺着される後筒枠部を加えたものから構成されており、従来のフィルター枠は、どうしてもフィルター枠の厚さが厚くなり、該フィルター枠はカメラレンズ鏡筒先端部に装着して用いるとケラレ現象を生じせしめてしまうと云う欠点を有している。
【０００７】
また、フィルターは、決められたフィルター口径を有するフィルター枠本体内に円盤状のフィルターレンズを保持する機構が必要であり、該フィルターレンズの保持機構は、例えばフィルター保持用の押さえ環やリングスプリングを用いる方法、或いはフィルターレンズ後枠の一部をカシメることにより固定する方法等が知られている。そして、前記カシメによるフィルター保持機構においては、フィルター枠本体の入射光側内径部に環状に突出した環状縁部を設け、該環状縁部の後方にフィルターレンズを嵌着した後、該フィルターレンズの後方周縁部をカシメ用金型工具やカシメ用加熱工具にてカシメ加工することによりフィルターレンズをフィルター枠本体内に固着、保持している。
【０００８】
而して、上記カシメ加工によるフィルターレンズの固着方法では、フィルター枠本体の入射光側内径部に設けられる環状縁部がフィルターレンズの後部に設けられるカシメベロ部の形状加工や、カシメ加工を行う際のカシメ用金型工具の外径寸法やカシメ用加熱工具の外径寸法により制限されてしまうためにフィルターレンズの環状縁部が構成する有効径が縮小されて一般的に小さくなり、折角、フィルター枠本体を薄く製作してもフィルターレンズの有効径が小さくなることでケラレ現象を生じせしめてしまう欠点が発生する。
【０００９】
斯して、ケラレにくい薄型形状を有するフィルター枠を構成した一例が、特開２０１０−１１３０１６号（以下、特許文献１と称する）に開示されている。特許文献１に記載された従来例の説明では、フィルター枠への光学フィルター（フィルターレンズ）の固定方法について、止め輪（押さえ環）を用いた例を開示して説明し、該止め輪の幅寸法を短くすることには限界があり、更に、多種多様な光学フィルターの厚さ寸法を一律に薄くすることは困難で、このために、フィルター枠の寸法を短くすることは難しい問題としている。
【００１０】
そして、特許文献１の発明は、上記の課題を解決するために、カメラ用フィルターユニットは、筒状のフィルター枠と前記フィルター枠の内側に固定した筒状のフィルター保持リングと、前記フィルター保持リングの内側に保持されている光学フィルターと、前記光学フィルターの前後の移動を阻止している前側ストッパーおよび後側ストッパーとを有し、前記前側ストッパーは、前記フィルター保持リングの前端縁に形成されており、前記後側ストッパーは、前記フィルター保持リングの後端縁あるいは前記フィルター枠の内周面に形成されており、前記フィルター保持リングおよび前記光学フィルターは、前記フィルター枠の前後の端から露出しない状態で配置されているものである。
【００１１】
従って、特許文献１の発明において、カメラ用フィルターユニットは、フィルター枠の内側にフィルター保持リングが固定されており、このフィルター保持リングの内側に光学フィルターが保持されている。即ち、光学フィルターをフィルター枠へ取り付けるための部材であるフィルター保持リングが、光学フィルターの前後に配置されるのではなく、光学フィルターの外周部に配置されている。この結果、フィルター保持リングおよび光学フィルターをフィルター枠から露出しない状態で配置するときに、フィルター枠とフィルター保持リングと光学フィルターとは同心に配置されるので、フィルター枠の前後方向の寸法を短くすることができる、と云うものである。
【００１２】
然しながら、従来例と前記特許文献１に記載された発明の違いは、従来例が光学フィルターの固定具として止め輪を用いているものに対して、特許文献１の発明は、フィルター保持リングを用いたものであり、光学フィルターは突起とカシメ用金属金型によるカシメ加工により前記フィルター保持リングに固定され、このフィルター保持リングがフィルター枠の内側に固定されているものである。
【００１３】
従って、特許文献１の発明の如くフィルター枠内にフィルター保持リングにて固定される光学フィルターを円環状の突起（前側ストッパ）や円環上のカシメ部（後側ストッパ）にて固定する構造では、前記突起やカシメ部が形成する部材の厚さ分のみの寸法を短くするのみで、大幅なフィルター枠の薄型化は具現化されていない。
【００１４】
また、特許文献１の発明においては、光学フィルターを入射光側で保持するためにフィルター保持リングを使用しており、該フィルター保持リングが光軸側に突出してフィルターレンズの有効径を縮小していること、加えてフィルター保持リングの前端縁（本発明の実施例では前縁部と称する）で光軸側に突出している円環状突起がフィルターレンズの有効径の大きさを縮小しており、折角、薄型フィルターを提供しても、決められたフィルター口径を有するフィルター枠においてフィルターレンズの有効径が縮小されることによるケラレ現象の発生要因についての言及はなされていない。
【００１５】
次に、本発明は、ケラレ現象を生じせしめない薄型のフィルター枠の形状、及びフィルター口径の決まったフィルター枠においてフィルターレンズの有効径を最大限大きく取ることのできるフィルター枠の形状を得るものであり、且つ、フィルターレンズをフィルター枠内に固着する際に、フィルターレンズには物理的な歪や加熱による歪を付加されない状態にてフィルターレンズをフィルター枠内に挟持可能なカシメ加工手段を提供するものであることから、この目的を具現化するためにフィルターレンズの後方に設けられるカシメベロ部の構成や形状が要件となるもので、この事に関連した従来の特開２００８−１９１４１２号公報（以下、特許文献２と称する）の発明を開示する。
【００１６】
即ち、特許文献２は、合成樹脂からなるレンズ鏡枠本体において、熱カシメによりレンズが固定される構成のレンズ鏡枠に関するものであり、レンズ鏡枠に固定されるレンズに歪を与えることなく鏡枠に固着することができるレンズ鏡枠を提供すると云うものである。
【００１７】
特許文献２の発明の構成は、光学部材（レンズ）を光軸方向に位置決めするために上記光学部材の一面と当接するため光軸方向に突出し、互いに間隔をあけて配置された三箇所の突起部と、上記突出部それぞれから光軸方向に離間して配置され、上記光学部材を挟むように熱カシメするための三箇所のかしめ部と、を有する合成樹脂からなるレンズ鏡枠であることが示されている。
【００１８】
而して、特許文献２の発明における熱カシメによるレンズ固定方法では、固定するために枠、及びレンズに対して荷重を掛けるために、特にレンズが薄肉である場合には、熱カシメ荷重付与により残留応力が残り、カシメ固定後の状態でもその変化が残ったままでレンズ枠に固定されるという問題がある。枠の保持精度確保のため、レンズ受け面を３箇所の凸面部で受ける保持構造を作用することが多いとされ、このような場合、レンズ面の変形が特に助長されてしまうことが多いと云う課題の解決を模索しているものと思われる。
【００１９】
然しながら、本発明を説明するにあたり、注目した特許文献２の構成は、〔図１〕及び〔図３〕に記載された凸状かしめ部（１ｃ）の断面形状であり、また、〔図４〕及び〔図６〕に記載されたカシメ用金型（３）の断面形状図である。特許文献２の〔図１〕において、鏡枠本体（１）は、合成樹脂からなる筒状部材であり、前方側に周方向に沿ってレンズ装着用段部（１ａ）が設けられ、該段部（１ａ）上の三箇所に光軸と直交する一平面を形成する周方向に間隙をあけて配される三つのレンズ光軸方向位置決め用突出部である円弧形状の凸平面部（１ｂ）が設けられる。さらに、レンズ（２）が隙間なく挿入可能な内径部（１ｄ）、および、該内径部に沿って凸平面部（１ｂ）から離間し。レンズ（２）の周辺の厚さに対応してかしめるための必要寸法だけ上方に延出し、周方向に間隙をあけて配される３箇所の円弧形状の凸状かしめ部（１ｃ）が設けられている。（特許文献２の段落番号〔００２３〕参照）
【００２０】
なお、凸平面部（１ｂ）に対して対応する凸状カシメ部（１ｃ）は、周方向同一位置にあって、周方向の大きさ（幅）も略同一とする。但し、凸平面部（１ｂ）の周方向の大きさ（幅）は、凸状かしめ部（１ｃ）の周方向大きさ（幅）と異ならせてもかまわない。なお、凸状かしめ部（１ｃ）の上方外側は、かしめを行うためにわずかなテーパー面となっている。（特許文献２の段落番号〔００２４〕）
【００２１】
レンズ鏡枠（１０）は、図４〜６に示すかしめ用金型（３）によって熱かしめされ、鏡枠本体（１）にレンズ（２）が固着される。そのかしめ用金型（３）は下面側に全周リング状の平面かしめ部（３ａ）と、その外周にテーパー部（３ｂ）とを有している。平面かしめ部（３ａ）は、光軸に対して直交するリング状の平面で形成されている（図６）。
かしめ用金型（３）によりレンズ鏡枠（１０）の熱かしめを行う場合、レンズ（２）を据え付け台（４）上にセットされた鏡枠本体（１）の内径部（１ｄ）に挿入し、レンズ（２）の下面（２ｂ）を凸平面部（１ｂ）上に当接させる。この状態で凸状かしめ部（１ｃ）の先端は、レンズ（２）の周囲表面よりかしめ量だけ突出している。加熱状態のかしめ用金型（３）を降ろして凸状かしめ部（１ｃ）の先端部分を平面かしめ部（３ａ）で加熱しながら爪状に押圧変形させてレンズ（２）を鏡枠本体１に固着する。この熱かしめ時、かしめ用金型（３）の平面かしめ部（３ａ）は、凸状かしめ部（１ｃ）以外に当接することがない。（特許文献２の段落番号〔００２５〕）
【００２２】
レンズ（２）が固着されたレンズ鏡枠（１０）において、図７〜９に示すようにレンズ２の外周（３）箇所が鏡枠本体１の凸平面部（１ｂ）と凸状かしめ部（１ｃ）の押圧熱変形された先端（爪部）とにより挟持される。従って、レンズ（２）には上記三箇所の挟持部分（凸平面部１ｂと凸状かしめ部１ｃ）以外での加圧力が作用せず、レンズ（２）のかしめによる歪みは極めて少ない。（特許文献２の段落番号〔００２６〕）
と云う点である。（以上、特許文献２の公報参照。カッコ内の符号は特許文献２に記載された符号を示す。）
【００２３】
斯くして、上記特許文献２の発明における欠点は、レンズ（２）の外周（３）箇所が鏡枠本体（１）の凸平面部（１ｂ）と凸状かしめ部（１ｃ）が押圧熱変形される際に、隙間なく内径部（１ｄ）に挿入されているレンズ（２）の周縁部のコーナー部が、かしめ加工の際にカシメベロ部に押圧されレンズ（２）にかしめ加工による歪を与えてしまう事である。また、このことはアルミや真鍮等の金属環状リングを切削加工して製作されるレンズ鏡枠本体（１）においても同様の現象がみられる他、上記特許文献２の如く合成樹脂からなるレンズ鏡枠本体（１）においては、熱かしめによりレンズ（２）が固定される構成のレンズ鏡枠であり、加熱状態のかしめ用金型（３）を降ろして平面かしめ部（３）にて加熱しながら押圧変形させる際に固着されるレンズ（２）には、凸平面部（１ｂ）、凸状かしめ部（１ｃ）、内径部（１）を介して熱が直接伝わりレンズ（２）に熱歪を与えてしまうと云う欠点がある。
【００２４】
次に、本発明の明細書における図４、及び図５（Ａ）、（Ｂ）は、アルミや真鍮等の環状リングを切削して製造する金属製のフィルター枠におけるフィルターレンズの保持機構の従来例を説明するものである。
【００２５】
図４は、フィルター枠本体とレンズ鏡筒の装着位置説明図であり、図５（Ａ）、（Ｂ）は、従来のフィルターレンズ保持機構における製造工程、並びに加工後の保持機構を説明するもので、図５（Ａ）、（Ｂ）は、図４のＡ−Ａ部分拡大断面図である。  
【００２６】
図４において、５１はフィルター枠本体、５２はフィルターレンズ、５３はデジタルカメラ本体、５４はカメラレンズ鏡筒を示しており、前記フィルター枠本体５１を中心にして、５５は入射光側、５６はカメラレンズ鏡筒側、Ｃはフィルター枠本体とカメラレンズ鏡筒の光軸、φはフィルター口径を示している。
【００２７】
そして、前記フィルター枠本体５１に内蔵されるフィルターレンズ５２には、レンズ保護用のフィルター、円偏光フィルター、光量減少用フィルターや、特殊効果をもたらす光条効果用フィルター、被写体を柔らかく表現できるソフトフォーカス用フィルター等の各種フィルターレンズが用いられている。
【００２８】
図５（Ａ）、（Ｂ）において、５１はフィルター枠本体でアルミや真鍮から成る金属製の環状リングを切削加工にて製造される。また、５２はフィルターレンズ、ｔはフィルター枠本体５１の厚さ、５５はフィルター枠本体の入射光側、５６はフィルター枠本体のカメラレンズ鏡筒側を示しており、前記フィルター枠本体５１はフィルター枠本体を略二分して入射光側５５を前筒枠５７、カメラレンズ鏡筒側５６を後筒枠５８として一体的に形成されている。
【００２９】
フィルター枠本体１の前筒枠５７の内径部分５９には、フード等のアタッチメント装着用の雌ネジ部６０が螺設されており、該雌ネジ部６０のネジ基部には、逃げ溝６１が刻設されている。そして、逃げ溝６１は雌ネジ部６０に螺合するアタッチメントの雄ネジがゆとりを持って螺着されネジ基部に設けられたストッパー面６２に当接する構成で、前記アタッチメントの雄ネジが固くかみ合うことなく前筒枠５７の雌ネジ部６０に着脱自在に螺合操作可能である。
【００３０】
次に、フィルター枠本体５１の後筒枠５８の外周部６３には、カメラレンズ鏡筒５４への装着用雄ネジ部６４が螺設されており、該雄ネジ部６４のネジ基部には、逃げ溝６５が刻設されている。そして、この逃げ溝６５は、雄ネジ部６４が螺合するカメラレンズ鏡筒５４の雌ネジにゆとりを持って螺着されネジ基部に設けられたストッパー面６６に当接する構成を有しており、前記カメラレンズ鏡筒５４の先端部にフィルター枠本体５１の雄ネジ部６４が固くかみ合うことなく着脱自在に螺合操作可能である。
【００３１】
また、前記前筒枠５７と後筒枠５８の中間接合部内側６７には環状のフィルターレンズ保持環部６８が光軸Ｃ方向に突出した環状にて設けられ、該フィルターレンズ保持環部６８の先端縁部にはフィルターレンズ５２のフィルターレンズ前縁枠６９が設けられている。
【００３２】
而して、前記フィルターレンズ前縁枠６９の後方部（カメラレンズ鏡等側５６）には、図５（Ａ）に示す如くカシメベロ部７０が円環状切削溝７１を刻設することにより形成されており、該カシメベロ部７０は外周先端部にカシメ補助用のテーパー７２を有して光軸Ｃを中心に環状の筒形状に配置され、また、前記筒形状のカシメベロ部７０の内径部にはフィルターレンズ５２を嵌合可能なフィルターレンズ嵌合部７３が形成されている。
【００３３】
前記フィルターレンズ嵌合部７３の内径部に嵌合されたフィルターレンズ５２は、カシメベロ部７０のテーパー７２部を環状のカシメ用金型７４のテーパー部７５とカシメ部７６により加圧変形され、図５（Ｂ）に示す如くカシメベロ部７０のテーパー７２の先端部をカシメ加工され、フィルターレンズ５２は、前記フィルターレンズ前縁枠６９とカシメ加工されたカシメベロ部７０間にて挟持されるフィルターレンズの保持機構である。  
【００３４】
斯くして、図５（Ａ）、（Ｂ）に示す従来のフィルター枠におけるフィルターレンズの保持機構は、カシメ用金型７４によりカシメベロ部７０の先端部をカシメ加工する際に、カシメによる折り曲げ部分が直接フィルターレンズ５２の後周縁部に設けたコーナー部７７（図５（Ｂ）に示す）に接触しており、カシメ加工時においては前記コーナー部７７が支点となってしまいフィルターレンズ前縁部６９にもカシメ加工のための加圧変形力がかかることになり、フィルターレンズ前縁部６９やフィルターレンズ前縁部６９を形成するフィルターレンズ保持環部６８の厚さは、カシメ加工のために大きな厚さｔ２を有する丈夫な形状が必要とされている。
【００３５】
従って、フィルター枠本体５１の厚さｔを雌ネジ部６０と逃げ溝６１の最小機能（雌ネジの螺合とストッパー機能）厚ｔ１で構成された前筒枠５７、雄ネジ部６３と逃げ溝６５の最小機能（雄ネジの螺高とストッパー機能）厚ｔ３で構成された後筒枠５８に厚め構成されたフィルターレンズ保持環部６８の厚さｔ２を加えることは、全体として、フィルター枠本体５１の光軸方向の厚さｔを大きくしてしまうので、フィルター枠においてケラレが発生し易い要因を作ってしまう欠点が生じている。
【００３６】
また、従来のフィルター枠におけるフィルターレンズの保持機構は、カシメ用のカシメベロ部７０全体を製作するにあたり、円環状切削溝７１を刻設することにより形成されるものである。従って、円環状切削溝７１は光軸Ｃ方向に深く切削してカシメベロ部７０を形成し、且つ、円環状切削溝７１にカシメ用金型７４を挿入して加圧変形加工をするものであることから、該円環状切削溝７１はその内径寸法φ２を大きく設定して刻設する必要がある。そして、円環状切削溝７１の内径φ２を大きく、該円環状切削溝７１の幅Ｗを幅広に形成することが必要で、前記フィルターレンズ保持環部５８の先端縁部に設けられるフィルターレンズ前縁枠５９の内径を光軸Ｃ方向に移行させることになり、フィルター口径φが決められたフィルター枠本体５１において、その有効径φ３を著しく小さくしてしまいケラレの発生要因を作ってしまう欠点を生じせしめている。
【００３７】
更に、図５（Ａ）、（Ｂ）に示す従来のフィルター枠におけるフィルターレンズの保持機構は、カシメ用金型７４によりカシメベロ部７０の先端部を９０度に折り曲げてカシメ加工するもので、その曲げ角度は大きくなる。また、前記従来例は、カシメによる折り曲げ部分が直接フィルターレンズ５２の後周縁部やコーナー部７７にも接触しており、カシメ加工時にはコーナー部７７が支点となってしまうので、前記フィルターレンズ５２にはカシメ加工のための加圧変形力が歪として加えることになり、その物理的な歪はフィルターレンズ５２の保持精度やフィルターレンズ面を変形させることになるので、フィルターレンズの保持機構に悪影響をおよぼしている。
【００３８】
斯くして、特願２０１３−１４６３５９号（以下、特許文献３と称する）には、上記従来の欠点を解消するために、
１）フィルター枠の光軸方向の寸法、即ちフィルター枠の厚さを薄型に形成したデジタルカメラ用のフィルター枠を提供し、該フィルター枠は、望遠レンズや広角レンズに装着してもケラレにくいフィルター枠を提供する。
２）フィルター口径の決まったフィルターにおいて、フィルター枠内に内蔵されるフィルターレンズの有効径を最大限大きく取ることの可能なフィルターレンズの保持機構を提供して、望遠レンズや広角レンズの前面に装着してもケラレにくいフィルター枠を提供する。
３）フィルターレンズをフィルター枠内に内蔵、保持する際の固着時において、当該フィルターレンズには、物理的な歪や加熱による歪を付加しない状態にてフィルター枠内に各種のフィルターレンズを保持可能なカシメ加工手段を提供する。
と云う課題を有するフィルターレンズの保持機構に関する発明がなされている。
【００３９】
特許文献３の発明は、本発明と同一発明者、同一出願人の発明に係るものであり、図４及び図６（ａ）、（ｂ）において特許文献３の発明を説明する。図４は、フィルター枠本体とレンズ鏡筒の装着位置説明図であり、図６（Ａ）、（Ｂ）は、図４のＡ−Ａ部分拡大断面図で従来のフィルターレンズ保持機構における製造工程、並びに加工後の保持機構を説明するものである。
【００４０】
図４、及び図６（Ａ）、（Ｂ）において、５１はフィルター枠本体、５２はフィルターレンズ、５３はデジタルカメラ本体、５４はカメラレンズ鏡筒を示しており、前記フィルター枠本体５１を中心にして、５５は入射光側、５６はカメラレンズ鏡筒側、Ｃはフィルター枠本体とカメラレンズ鏡筒の光軸、φはフィルター口径を示している。
【００４１】
そして、前記フィルター枠本体５１に内蔵されるフィルターレンズ５２には、レンズ保護用のフィルター、円偏光フィルター、光量減少用フィルターや、特殊効果をもたらす光条効果用フィルター、被写体を柔らかく表現できるソフトフォーカス用フィルター等の各種フィルターレンズが用いられている。
【００４２】
特許文献３を説明する図６（Ａ）、（Ｂ）において、５１はフィルター枠本体でアルミや真鍮による金属製の環状リングを切削加工にて製造される。また、５２はフィルターレンズ、ｔはフィルター枠本体５１の厚さ、５５はフィルター枠本体の入射光側、５６はフィルター枠本体のカメラレンズ鏡筒側を示しており、前記フィルター枠本体５１はフィルター枠本体５１を略二分して入射光側５５を前筒枠５７、カメラレンズ鏡筒側５６を後筒枠５８として一体的に形成されている。
【００４３】
フィルター枠本体５１の前筒枠５７の内径部５９には、フード等のアタッチメント装着用の雌ネジ部６０が螺設されており、該雌ネジ部６０のネジ基部には、逃げ溝６１が刻設されている。そして、逃げ溝６１は雌ネジ部６０に螺合するアタッチメントの雄ネジがゆとりを持って螺着されネジ基部に設けられたストッパー面６２に当接する構成で、前記アタッチメントの雄ネジが固くかみ合うことなく前筒枠５７の雌ネジ部６０に着脱自在に螺合操作可能である。
【００４４】
次に、フィルター枠本体５１の後筒枠５８の外周部６３には、カメラレンズ鏡筒への装着用雄ネジ部６４が螺設されており、該雄ネジ部６４のネジ基部には、逃げ溝６５が刻設されている。そして、この逃げ溝６５は、雄ネジ部６４が螺合するカメラレンズ鏡筒の雌ネジにゆとりを持って螺着されネジ基部に設けられたストッパー面６６に当接する構成を有しており、前記カメラレンズ鏡筒の先端部にフィルター枠本体５１の雄ネジ部６４が固くかみ合うことなく着脱自在に螺合操作可能である。
【００４５】
また、前記前筒枠５７と後筒枠５８の中央部内部側６７には環状のフィルターレンズ保持環部６８が光軸Ｃ側に突出した環状にて設けられ、該フィルターレンズ保持環部６８の先端縁部にはフィルターレンズ５２のフィルターレンズ前縁枠６９とその後部には後部嵌合枠６９ａが設けられている。
【００４６】
而して、前記フィルターレンズ前縁枠６９と後部嵌合枠６９ａの後方部には、図６（Ａ）に示す如くカシメベロ部７０が円環状切削溝７１と曲げ変形用円周溝７８を刻設することにより形成されており、該カシメベロ部７０はカメラレンズ鏡筒側に開口する円環状切削溝７１と前記フィルルターレンズ２の円周縁部方向に開口する曲げ変形用円周溝７８の刻設によりフィルターレンズ前縁枠６９の後部よりＬ字型形状を有してフィルターレンズ５２の光軸Ｃ方向に延びる環状体を有するカシメベロ部７０を形成している。
【００４７】
また、前記フィルターレンズ前縁枠５７の後部にて嵌着保持されるフィルターレンズ５２の後端部には前記Ｌ字型形状のカシメベロ部７０の先端部内径側に設けられるカシメ当接部７９が当接するように少なくともフィルターレンズ５２の光軸Ｃに対して４５度程度の傾きを有する面取り当接面８０を設けており、該フィルターレンズの面取り当接面８０にカシメベロ部７０のカシメ当接部７９がカシメ加工により当接してフィルターレンズ５２を前記フィルターレンズ前縁枠５７とカシメベロ部７０のカシメ当接部７９間で挟持するよう構成されている。
尚、前記カシメベロ部７０は環状のカシメ用金型７４のテーパー部７５とカシメ部７６により加圧変形されるもので、図（Ｂ）に示す如くカシメベロ部７０のカシメ当接部７９の先端部をフィルターレンズの面取り当接面８０に当接する物理的なカシメ加工が施される。
【００４８】
従って、特許文献３の発明において、カメラレンズ鏡筒先端部に装着されるフィルター枠本体５１は、円環状のフィルター枠本体を略二分して入射光側５５を前筒枠５７としカメラレンズ鏡筒側５６を後筒枠５８として形成し、前記前筒枠５７には入射光側５５より前筒枠５７の内径部５９にアタッチメント装着用の雌ネジ部６０を螺設し、また前記後筒枠５８の外周部６３にはカメラレンズ鏡筒への螺着用雄ネジ部６４が螺設され、該雌ネジ部６０と雄ネジ部６４からなるフィルター枠本体５１の中央部内部側６７にはフィルターレンズ保持環部６８が光軸Ｃ側に突出して設けられ、該フィルターレンズ保持環部６８の先端部には環状のフィルターレンズ前縁枠６９が設けられ、該フィルターレンズ前縁枠６９の後部嵌合枠６９ａにてフィルターレンズ５２を嵌着保持し、該後部嵌合枠６９ａに嵌着保持されたフィルターレンズ５２を後方裏面にて挟持するカシメベロ部７０は前記フィルターレンズ前縁枠６９の後部よりＬ字型形状を有してフィルターレンズ５２の光軸Ｃ方向に延びる環状体を形成し、該Ｌ字型形状のカシメベロ部７０の先端部内径側には前記フィルターレンズ５２の後端部に当接してフィルターレンズ５２を挟持するためのカシメ当接部７９を設け、該カシメ当接部７９の曲げ変形部位には前記フィルターレンズ５２の円周縁部にカシメベロ部７０の内径部が接触しないように前記フィルルターレンズ５２の円周縁部方向に開口する曲げ変形用円周溝７８を刻設して前記カシメベロ部７０の加圧変形時にカシメベロ部７０の変形部がフィルターレンズ５２の円周縁部やフィルターレンズ面に接触しないよう構成したフィルター枠におけるフィルターレンズの保持機構を提供するものである。
【００４９】
また、特許文献３の発明は、フィルターレンズ前縁枠６９の後部にて嵌着保持されるフィルターレンズ５２の後端部にはＬ字型形状のカシメベロ部７０の先端部の内径側に設けられるカシメ当接部７９が当接するように少なくともフィルターレンズ５２の光軸Ｃに対して４５度程度の傾きを有する面取り当接面８０を設けており、該フィルターレンズ５２の面取り当接面８０に前記カシメベロ部のカシメ当接部７９がカシメ加工により当接してフィルターレンズ５２を前記フィルターレンズ前縁枠６９とカシメベロ部７０のカシメ当接部７９間で挟持するよう構成したフィルター枠におけるフィルターレンズの保持機構を提供するものである。
【００５０】
然しながら、特許文献３の発明は、図６（Ｂ）に示す如くフィルターレンズ５２をフィルターレンズ前縁部６９と後方に設けたカシメベロ部７０間で挟持して固着する際に、フィルターレンズ５２の面取り当接面８０にカシメベロ部７０のカシメ当接部７９を当接した構造であること、並びにフィルターレンズ５２の面取り当接面８０のみをカシメ当接部７９にて当接して挟持している構造であり、フィルターレンズ５２を挟持して固着するためのカシメ当接部７９の係合当接面の幅が小さく、また、カシメ当接部７９の当接面は、フィルターレンズ５２の光軸Ｃに対して４５度程度の傾きを有して構成された面取り当接面８０に対して斜め方向よりカシメ加工されて当接していることから、フィルターレンズ５２の固着状態がどうしても堅牢、且つ、確実に固着できない欠点が生じている。
【００５１】
また、フィルターレンズ５２の面取り当接面８０は、光軸Ｃに対して４５度程度の傾きを有した外周円縁形状をしていることから、フィルターレンズ５２をフィルターレンズ前縁枠６９の後部嵌合枠６９ａに嵌着保持した後、前記フィルターレンズ５２の面取り当接面８０にカシメ当接部７９をカシメ加工にて均一に当接することは加工精度上非常に無理があり、現実上の問題として、面取り当接面８０がカシメ当接部７９により完全に被覆できないので、該被覆できない面取り当接面８０部分からの反射光がフィルターレンズ５２の性能に悪影響及ぼすことがあり均一性を重視した生産活動においては、品質面では大きな欠点となっている。
【００５２】
更に、特許文献３の発明において、フィルターレンズ５２の製作は円板形状に切り出したフィルターレンズ５２の円周縁部に光軸Ｃに対して４５度程度の傾きを有した面取り加工を施して鋭利な切り口をなくし、安全で角割れのない扱いやすいフィルターレンズ５２を作り、該面取り加工部分をフィルターレンズ５２の面取り当接面８０としており、フィルターレンズ５２は面取り当接面８０の加工の後にフィルターレンズ５２の両面に光の反射防止被膜８１ａ、８１ｂを被覆加工しているものが一般的である。
【００５３】
従って、フィルターレンズ５２において、面取り当接面８０の加工の後にフィルターレンズ５２の両面に光の反射防止被膜８１ａ、８１ｂを被覆加工するにあたっては、前記傾きを有した面取り加工面を避けて反射防止被膜８１ａ、８１ｂを被覆加工する必要があることから面取り加工面、即ち、面取り当接面８０の縁より反射防止被膜８１ａ、８１ｂの円周縁部までは、０．５〜１．０ｍｍ程度の隙間が生じてしまう。斯くして、面取り当接面８０の縁より反射防止被膜８１ａの円周縁部までの隙間は、光の反射防止被膜加工がなされていない部分となり、反射防止被膜のない隙間からは、反射光が入射してフィルターレンズ５２の性能に悪影響及ぼす欠点があることが解ってきた。
【先行技術文献】
【特許文献】
【００５４】
【特許文献１】特開２０１０−１１３０１６号公報
【特許文献２】特開２００８−１９１４１２号公報
【特許文献３】特願２０１３−１４６３５９号
【発明の概要】
【発明が解決しようとする課題】
【００５５】
斯くして、本発明が解決しようとする課題は、フィルター枠の光軸方向の寸法、即ちフィルター枠の厚さを薄型に形成したデジタルカメラ用のフィルター枠を提供し、該フィルター枠は、望遠レンズや広角レンズに装着してもケラレにくいフィルター枠を提供するものである。
【００５６】
また、本発明におけるフィルターレンズの保持機構は、フィルター口径の決まったフィルターにおいて、フィルター枠内に内蔵されるフィルターレンズの有効径を最大限大きく取ることの可能なフィルターレンズの保持機構を提供して、望遠レンズや広角レンズの前面に装着してもケラレにくいフィルター枠を提供するものである。
【００５７】
更に、本発明におけるフィルターレンズの保持機構は、フィルターレンズをフィルター枠内に内蔵、保持する際の固着時において、当該フィルターレンズには、物理的な歪や加熱による歪を付加しない状態にてフィルター枠内に各種のフィルターレンズを保持可能なカシメ加工手段を提供するものである。
【００５８】
そして、本発明は、従来のフィルター枠におけるフィルターレンズの保持機構が、フィルターレンズの後方でカシメベロ部のカシメ当接部を用いた面取り当接面への当接による挟持により固定していた構造上の欠点を解消し、衝撃や振動に強い堅牢なフィルターレンズの保持機構を提供するものである。
【００５９】
また、本発明は、従来のフィルター枠におけるフィルターレンズの保持機構が、フィルターレンズの後方でカシメベロ部のカシメ当接部を用いた面取り当接面への当接による挟持していた構造上の理由により、面取り当接面がカシメ当接面により前記面取り当接面を完全に被覆できず、被覆できない面取り当接面からの反射光がフィルターレンズの性能に悪影響及ぼす欠点や、フィルターレンズにおいて、面取り当接面の加工の後フィルターレンズの両面に光の反射防止被膜を被覆加工するにあたっては、傾きを有した面取り加工面を避けて反射防止被膜を被覆加工する必要があり面取り当接面の縁より反射防止被膜の円周縁部までは、０．５〜１．０ｍｍ程度の隙間が生じており、該面取り当接面の縁より反射防止被膜の円周縁部までの隙間は、光の反射防止被膜加工がなされていない部分となり、反射防止被膜のない隙間からは、反射光が入射してフィルターレンズの性能に悪影響を及ぼす欠点を解消するものである。
【課題を解決するための手段】
【００６０】
斯くして、本発明は、カメラレンズ鏡筒先端部に装着されるフィルター枠本体は円環状のフィルター枠本体を略二分して入射光側を前筒枠としカメラレンズ鏡筒側を後筒枠として形成し、前記前筒枠には入射光側より前筒枠内径部にアタッチメント装着用の雌ネジ部を螺設し、また前記後筒枠の外周部にはカメラレンズ鏡筒への螺着用雄ネジ部が螺設され、該雌ネジ部と雄ネジ部からなるフィルター枠本体の中央部内部側にはフィルターレンズ保持環部が光軸側に突出して設けられ、該フィルターレンズ保持環部の先端部には環状のフィルターレンズ前縁枠が設けられ、該フィルターレンズ前縁枠の後方にフィルターレンズを嵌着保持し、該フィルターレンズ前縁枠に嵌着保持されたフィルターレンズを後方の裏面にて挟持するカシメベロ部は前記フィルターレンズ前縁枠の後部より光軸Ｃ方向に延びる支持縁外周部よりリング形状の円筒形状環状体を形成し、該カシメベロ部を形成するリング形状の円筒形状環状体の付け根部内径側には曲げ変形用円周溝を刻設することにより該曲げ変形用円周溝の底部後方部に曲げ変形内角部を設け、該曲げ変形内角部を起点にカシメ加工を施す前記カシメベロ部の円筒形状環状体は曲げ変形内角部より前記フィルターレンズの面取り部当接面を被覆してフィルターレンズ裏面に被覆加工された反射防止被膜加工面縁部までを被覆する長さを有したカシメベロ部からなるフィルター枠におけるフィルターレンズの保持機構である。
【００６１】
また、本発明は、フィルターレンズ前縁枠の有効口径とフィルターレンズ後方にてカシメベロ部により挟持されるフィルターレンズの有効口径が同一となるようカシメベロ部を形成することにより円筒形状環状体の長さを設定してフィルター前縁枠とカシメベロ部の縁部を揃え、該縁部を綺麗に加工したフィルター枠におけるフィルターレンズの保持機構である。
【００６２】
更に、本発明は、前記カシメベロ部を形成するリング形状の円筒形環状体の付け根部に刻設された曲げ変形内角部の内径側にカシメベロ部の折り曲げ補助用のＶ字形状のカット溝を設けたフィルター枠におけるフィルターレンズの保持機構を提供するものである。
【００６３】
更にまた、本発明は、前記カシメベロ部を形成するリング形状の円筒形環状体先端部においてフィルターレンズの面取り当接面端部に先端折り曲げ補助用のＶ字形状のカット溝を設けたフィルター枠におけるフィルターレンズの保持機構を提供するものである。
【００６４】
そして、上記曲げ変形内角部の内径側にカシメベロ部の折り曲げ補助用のＶ字形状カット溝を設けること、及びカシメ部のフィルターレンズの面取り当接面角部に先端折り曲げ補助用のＶ字形状のカット溝を設けることにより、該カシメベロ部のカシメ加工面は、カシメ加工時に割れやヒビ割れによる変色のない綺麗なメッキ仕上げ面が維持できるフィルター枠におけるフィルターレンズの保持機構を提供するものである。
【発明の効果】
【００６５】
斯くして、本発明は、フィルター枠の光軸方向の寸法、即ちフィルター枠の厚さを薄型に形成したデジタルカメラ用のフィルター枠を提供し、該フィルター枠は、望遠レンズや広角レンズに装着してもケラレにくいフィルター枠を提供可能にした。
【００６６】
また、本発明におけるフィルターレンズの保持機構は、フィルター口径の決まったフィルターにおいて、フィルター枠内に内蔵されるフィルターレンズの有効径を最大限大きく取ることの可能なフィルターレンズの保持機構を提供して、望遠レンズや広角レンズの前面に装着してもケラレにくいフィルター枠を提供可能にした。
【００６７】
更に、本発明におけるフィルターレンズの保持機構は、フィルターレンズをフィルター枠内に内蔵、保持する際の固着時において、当該フィルターレンズには、物理的な歪や加熱による歪を付加しない状態にてフィルター枠内に各種のフィルターレンズを保持可能なカシメ加工手段を提供可能にし、フィルターレンズ２の保持精度の向上やフィルターレンズ面に変形を与えないフィルターレンズの保持機構を提供することができる。
【００６８】
そして、本発明おいては、カメラレンズ鏡筒先端部に装着されるフィルター枠を薄型に製作することができるので、フィルターの重量を軽量化して、オートフォーカス用モーターの負担を軽減することが可能なフィルターを提供することができる。
【００６９】
また、本発明は、従来のフィルター枠におけるフィルターレンズの保持機構が、フィルターレンズの後方でカシメベロ部のカシメ当接部を用いた面取り当接面への当接による挟持していた構造上の理由により、面取り当接面がカシメ当接面により前記面取り当接面を完全に被覆できず、被覆できない面取り当接面からの反射光がフィルターレンズの性能に悪影響及ぼす欠点や、フィルターレンズにおいて、面取り当接面の加工の後フィルターレンズの両面に光の反射防止被膜を被覆加工するにあたっては、傾きを有した面取り加工面を避けて反射防止被膜を被覆加工する必要があり面取り当接面の縁より反射防止被膜の円周縁部までは、０．５〜１．０ｍｍ程度の隙間が生じており、該面取り当接面の縁より反射防止被膜の円周縁部までの隙間は、光の反射防止被膜加工がなされていない部分となり、反射防止被膜のない隙間からは、反射光が入射してフィルターレンズの性能に悪影響をおよぼしていた欠点を解消するフィルターレンズの保持機構を提供することができる。
【００７０】
更に、本発明は、部品数をフィルター本体の部品とフィルターレンズの組み合わせと云ったように極端に軽減することができ、コストダウンと組立効率の向上をはかることが可能となり、カシメ加工によるフィルターレンズの保持機構は、フィルターレンズ前縁枠の有効口径とフィルターレンズ後方にてカシメベロ部により挟持されるフィルターレンズの有効口径が同一となるようカシメベロ部を形成する円筒形状環状体の長さを設定してフィルターの保持機構部の外観形状を美しく構成すると共に、衝撃や振動に強い堅牢なフィルターレンズの保持機構を提供することができるものである。
【００７１】
更にまた、本発明は、フィルターレンズのカシメ加工部において、カシメベロ部に折り曲げ補助用のＶ字形状カット溝を設けることや、カシメベロ部のフィルターレンズの面取り当接面角部に先端折り曲げ補助用のＶ字形状のカット溝を設けることにより、カシメ加工面はカシメ加工時に割れやヒビ割れによる変色のない綺麗なメッキ仕上げ面が維持できるフィルター枠におけるフィルターレンズの保持機構を提供するものである。
【図面の簡単な説明】
【００７２】
【図１】本発明の実施例１を説明するフィルター枠本体を示す要部縦断面図。
【図２】（Ａ）図１のＡ−Ａ部分拡大断面図。（Ｂ）図１（Ａ）の拡大断面図でカシメ加工完了状態を示す説明図。
【図３】（Ａ）本発明の実施例２を説明する部分拡大縦断面図。（Ｂ）図４（Ａ）の拡大断面図でカシメ加工完了状態を示す説明図。
【図４】本発明に係る従来例を説明するフィルター枠本体とレンズ鏡筒の装着位置説明図。
【図５】（Ａ）本発明に係る従来例説明図で図４のＡ−Ａ部分拡大断面図。       （Ｂ）従来例説明図で図６（Ａ）のカシメ加工完了状態を示す説明図。
【図６】（Ａ）本発明に係る他の従来例説明図で図４のＡ−Ａ部分拡大断面図。       （Ｂ）従来例説明図で図６（Ａ）のカシメ加工完了状態を示す説明図。
【発明を実施するための形態】
【００７３】
本発明におけるフィルターレンズの保持機構は、フィルター枠の光軸方向の寸法、即ちフィルター枠の厚さを薄型に形成することができ、また、フィルター口径の決まったフィルターにおいてフィルター枠内に内蔵されるフィルターレンズの有効径を最大限大きく取ることの可能なフィルター枠におけるフィルターレンズの保持機構を提供して、望遠レンズや広角レンズの前面に装着してもケラレにくいフィルター枠を提供するものである。そして、本発明におけるフィルターレンズの保持機構は、フィルターレンズをフィルター枠内に内蔵、保持する際の固着時において、当該フィルターレンズには、物理的な歪や加熱による歪を付加しない状態にてフィルター枠内に各種のフィルターレンズを保持可能なカシメ加工手段を提供するものである。
【００７４】
本発明に係るフィルター枠は、特にレンズ保護用のフィルター、円偏光フィルター、光量減少用フィルターや、特殊効果をもたらす光条効果用フィルター、被写体を柔らかく表現できるソフトフォーカス用フィルター等、利用価値の大きなデジタルカメラ用の各種フィルターレンズの保持機構に関するものである。
【００７５】
デジタル１眼レフカメラの普及に伴いファインダーや液晶画面でフィルターの使用効果をダイレクトに確認しながら撮影することや、種々の交換レンズを装着し、その交換レンズ鏡筒先端部に各種効果を有するフィルターを装着してカメラ撮影を楽しむことが可能になってきた。
【００７６】
然しながら、フィルターは、フィルター枠本体内に各種の効果を有する円盤状のフィルターレンズを内蔵、保持し、該フィルター枠本体の入射光側の内径には、その前縁部から後方に向けてフード等のアタッチメントや異なるフィルターの重ね合わせ用に雌ネジ部が螺設してある前筒枠部が形成されており、また、フィルター枠本体のカメラレンズ鏡筒側の外径にはカメラレンズ鏡筒内径部に設けられた装着用の雌ネジ部に螺着される雄ネジ部が螺設してある後筒枠部が形成されている。
【００７７】
従って、フィルター枠本体における光軸方向の寸法、即ちフィルター枠本体の厚さは、前記雌ネジ部が螺設された前筒枠部と、フィルターレンズの厚さ、並びにフィルターレンズ保持用の環状リングの厚さ、そしてカメラレンズ鏡筒側内径部に螺着される後筒枠部を加えたものから構成されており、従来のフィルター枠は、どうしてもフィルター枠の厚さが厚くなり、該フィルター枠はカメラレンズ鏡筒先端部に装着して用いるとケラレ現象を生じせしめてしまうと云う欠点がある。
【００７８】
また、フィルターは、決められたフィルター口径を有するフィルター枠本体内に円盤状のフィルターレンズを保持する機構が必要であり、該フィルターレンズの保持機構は、例えばフィルター保持用の押さえ環やリングスプリングを用いる方法、或いはフィルターレンズ後枠の一部をカシメることにより固定する方法等が知られている。そして、前記カシメによるフィルター保持機構においては、フィルター枠本体の入射光側内径部に環状に突出した環状縁部を設け、該環状縁部の後方にフィルターレンズを嵌着した後、該フィルターレンズの後方周縁部をカシメ用金型工具やカシメ用加熱工具にてカシメ加工することによりフィルターレンズをフィルター枠本体内に固着、保持している。
【００７９】
而して、上記カシメ加工によるフィルターレンズの固着方法では、フィルター枠本体の入射光側内径部に設けられる環状縁部がフィルターレンズの後部に設けられるカシメベロ部の形状加工や、カシメ加工を行う際のカシメ用金型工具の外径寸法やカシメ用加熱工具の外径寸法により制限されてしまうためにフィルターレンズの環状縁部が構成する有効径が縮小されて一般的に小さくなり、折角、フィルター枠本体を薄く製作してもフィルターレンズの有効径が小さくなることでケラレ現象を生じせしめてしまう欠点が発生する。
【００８０】
更に、従来のフィルター枠におけるフィルターレンズの保持機構は、カシメ用金型によりカシメベロ部の先端部を折り曲げてカシメ加工する際に、カシメによる折り曲げ部分が直接フィルターレンズの周縁部に接触しており、該フィルターレンズの周縁部におけるコーナー部が支点となりカシメ加工においては、前記フィルターレンズにカシメ加工のための加圧変形力が歪として加えることになり、その物理的な歪はフィルターレンズの保持精度やフィルターレンズ面の変形をさせることになりフィルターレンズの保持機構に悪影響をおよぼしている。
【００８１】
斯くして、本発明において、カメラレンズ鏡筒先端部に装着されるフィルター枠本体は円環状のフィルター枠本体を略二分して入射光側を前筒枠としカメラレンズ鏡筒側を後筒枠として形成し、前記前筒枠には入射光側より前筒枠内径部にアタッチメント装着用の雌ネジ部を螺設し、また前記後筒枠の外周部にはカメラレンズ鏡筒への螺着用雄ネジ部が螺設され、該雌ネジ部と雄ネジ部からなるフィルター枠本体の中央部内部側にはフィルターレンズ保持環部が光軸側に突出して設けられ、該フィルターレンズ保持環部の先端部には環状のフィルターレンズ前縁枠が設けられ、該フィルターレンズ前縁枠の後方にフィルターレンズを嵌着保持し、該フィルターレンズ前縁枠に嵌着保持されたフィルターレンズを後方の裏面にて挟持するカシメベロ部は前記フィルターレンズ前縁枠の後部より光軸Ｃ方向に延びる支持縁外周部よりリング形状の円筒形状環状体を形成し、該カシメベロ部を形成するリング形状の円筒形状環状体の付け根部内径側には曲げ変形用円周溝を刻設することにより該曲げ変形用円周溝の底部後方部に曲げ変形内角部を設け、該曲げ変形部を起点にカシメ加工を施す前記カシメベロ部の円筒形状環状体は曲げ変形内角部より前記フィルターレンズの面取り部当接面を被覆してフィルターレンズ裏面に被覆加工された反射防止被膜加工面縁部までを被覆する長さを有したカシメベロ部からなるフィルター枠におけるフィルターレンズの保持機構であることが好ましい。
【００８２】
また、本発明は、フィルターレンズ前縁枠の有効口径とフィルターレンズ後方にてカシメベロ部により挟持されるフィルターレンズの有効口径が同一となるようカシメベロ部を形成する円筒形状環状体の長さを設定したフィルター枠におけるフィルターレンズの保持機構でもある。
【００８３】
更に、本発明は、前記カシメベロ部を形成するリング形状の円筒形環状体の付け根部に刻設された曲げ変形内角部の内径側にカシメベロ部の折り曲げ補助用のＶ字形状のカット溝を設けたフィルター枠におけるフィルターレンズの保持機構でもある。
【００８４】
更にまた、本発明は、前記カシメベロ部を形成するリング形状の円筒形環状体先端部においてフィルターレンズの面取り当接面端部に先端折り曲げ補助用のＶ字形状のカット溝を設けたフィルター枠におけるフィルターレンズの保持機構でもある。
【００８５】
そして、本発明は、上記曲げ変形内角部の内径側にカシメベロ部の折り曲げ補助用のＶ字形状カット溝を設けること、及びカシメ部のフィルターレンズの面取り当接面角部に先端折り曲げ補助用のＶ字形状のカット溝を設けることにより、該カシメベロ部のカシメ加工面は、カシメ加工時に割れやヒビ割れによる変色のない綺麗なメッキ仕上げ面が維持できるフィルター枠におけるフィルターレンズの保持機構を提供するものである。
【００８６】
斯くして、本発明におけるフィルターレンズの保持機構は、フィルター枠の光軸方向の寸法、即ちフィルター枠の厚さを薄型に形成したデジタルカメラ用のフィルター枠を提供し、該フィルター枠は、望遠レンズや広角レンズに装着してもケラレにくいフィルター枠を提供可能にした。
【００８７】
また、本発明におけるフィルターレンズの保持機構は、フィルター口径の決まったフィルターにおいて、フィルター枠内に内蔵されるフィルターレンズの有効径を最大限大きく取ることの可能なフィルターレンズの保持機構を提供して、望遠レンズや広角レンズの前面に装着してもケラレにくいフィルター枠を提供可能にした。
【００８８】
更に、本発明におけるフィルターレンズの保持機構は、フィルターレンズをフィルター枠内に内蔵、保持する際の固着時において、当該フィルターレンズには、物理的な歪や加熱による歪を付加しない状態にてフィルター枠内に各種のフィルターレンズを保持可能なカシメ加工手段を提供可能にし、フィルターレンズの保持精度の向上やフィルターレンズ面に変形を与えないフィルターレンズの保持機構を提供することができる。
【００８９】
そして、本発明おいては、カメラレンズ鏡筒先端部に装着されるフィルター枠を薄型に製作することができるので、フィルターの重量を軽量化して、オートフォーカス用モーターの負担を軽減することが可能なフィルターを提供することができる。
【００９０】
また、本発明は、従来のフィルター枠におけるフィルターレンズの保持機構が、フィルターレンズの後方でカシメベロ部のカシメ当接部を用いた面取り当接面への当接による挟持していた構造上の理由により、面取り当接面がカシメ当接面により前記面取り当接面を完全に被覆できず、被覆できない面取り当接面からの反射光がフィルターレンズの性能に悪影響及ぼす欠点や、フィルターレンズにおいて、面取り当接面の加工の後フィルターレンズの両面に光の反射防止被膜を被覆加工するにあたっては、傾きを有した面取り加工面を避けて反射防止被膜を被覆加工する必要があり面取り当接面の縁より反射防止被膜の円周縁部までは、０．５〜１．０ｍｍ程度の隙間が生じており、該面取り当接面の縁より反射防止被膜の円周縁部までの隙間は、光の反射防止被膜加工がなされていない部分となり、反射防止被膜のない隙間からは、反射光が入射してフィルターレンズの性能に悪影響をおよぼしていた欠点を解消するフィルターレンズの保持機構を提供することができる。
【００９１】
更に、本発明は、部品数をフィルター本体の部品とフィルターレンズの組み合わせと云ったように極端に軽減することができ、コストダウンと組立効率の向上をはかることが可能となり、カシメ加工によるフィルターレンズの保持機構は、フィルターレンズ前縁枠の有効口径とフィルターレンズ後方にてカシメベロ部により挟持されるフィルターレンズの有効口径が同一となるようカシメベロ部を形成する円筒形状環状体の長さを設定してフィルターの保持機構部の外観形状を美しく構成すると共に、衝撃や振動に強い堅牢なフィルターレンズの保持機構を提供することができるものである。
【００９２】
更にまた、本発明は、フィルターレンズのカシメ加工部において、カシメベロ部に折り曲げ補助用のＶ字形状カット溝を設けることや、カシメベロ部のフィルターレンズの面取り当接面角部に先端折り曲げ補助用のＶ字形状のカット溝を設けることにより、カシメ加工面はカシメ加工時に割れやヒビ割れによる変色のない綺麗なメッキ仕上げ面が維持できるフィルター枠におけるフィルターレンズの保持機構を提供するものである。
【実施例１】
【００９３】
図１は、本発明の実施例１を説明するフィルター枠の要部断面図であり、該フィルター枠はデジタルカメラのレンズ鏡筒前面に装着して使用される。そして、図２（Ａ）は、図１のＡ−Ａ部分拡大断面図、図２（Ｂ）は、図２（Ａ）の断面図でカシメ加工完了状態を示す説明図である。
【００９４】
図１において、１はフィルター枠本体、２はフィルターレンズを示しており、前記フィルター枠本体１を中心にして、３は入射光側、４はカメラレンズ鏡筒側、Ｃはフィルター枠本体の光軸を示している。尚、図１において、ｔはフィルター枠本体の厚さ、φ１はフィルター口径、φ３はフィルターレンズの有効径を示している。
【００９５】
そして、前記フィルター枠本体１に内蔵されるフィルターレンズ２には、レンズ保護用のフィルター、円偏光フィルター、光量減少用フィルターや、特殊効果をもたらす光条効果用フィルター、被写体を柔らかく表現できるソフトフォーカス用フィルター等の各種フィルターレンズが用いられている。
【００９６】
実施例１は、レンズ鏡筒の前面に装着されるフィルター枠本体１の光軸方向Ｃの寸法、即ちフィルター枠本体１の厚さｔを薄型に形成することができ、また、フィルター口径φ１の決まったフィルターにおいてフィルター枠本体１内に内蔵されるフィルターレンズの有効径φ３を最大限大きく取ることの可能なフィルター枠本体１におけるフィルターレンズ２の保持機構を提供して、望遠レンズや広角レンズの前面に装着してもケラレにくいフィルター枠本体１を提供するものである。また、本発明におけるフィルターレンズ２の保持機構は、フィルターレンズ２をフィルター枠本体１内に内蔵、保持する際の固着時において、当該フィルターレンズ２には、物理的な歪を付加しない状態にてフィルター枠本体１内に各種のフィルターレンズ２を保持可能なカシメ加工機構を提供するものである。
【００９７】
図２（Ａ）、（Ｂ）において、１はフィルター枠本体でアルミや真鍮による金属製の環状リングを切削加工にて製造される。また、２はフィルターレンズ、ｔはフィルター枠本体１の厚さ、３はフィルター枠本体の入射光側、４はフィルター枠本体のカメラレンズ鏡筒側を示しており、前記フィルター枠本体１はフィルター枠本体１を略二分して入射光側３を前筒枠５、カメラレンズ鏡筒側４を後筒枠６として一体的に形成されている。
【００９８】
フィルター枠本体１の前筒枠５の内径部７には、フード等のアタッチメント装着用の雌ネジ部８が螺設されており、該雌ネジ部８のネジ基部には、逃げ溝９が刻設されている。そして、逃げ溝９は雌ネジ部８に螺合するアタッチメントの雄ネジがゆとりを持って螺着されネジ基部に設けられたストッパー面１０に当接する構成で、前記アタッチメントの雄ネジが固くかみ合うことなく前筒枠５の雌ネジ部８に着脱自在に螺合操作可能である。
【００９９】
次に、フィルター枠本体１の後筒枠６の外周部１１には、カメラレンズ鏡筒への装着用雄ネジ部１２が螺設されており、該雄ネジ部１２のネジ基部には、逃げ溝１３が刻設されている。そして、この逃げ溝１３は、雄ネジ部１２が螺合するカメラレンズ鏡筒の雌ネジにゆとりを持って螺着されネジ基部に設けられたストッパー面１４に当接する構成を有しており、前記カメラレンズ鏡筒の先端部にフィルター枠本体１の雄ネジ部１２が固くかみ合うことなく着脱自在に螺合操作可能である。
【０１００】
また、前記前筒枠５と後筒枠６の中央部内部側１５には環状のフィルターレンズ保持環部１６が光軸Ｃ側に突出した環状にて設けられ、該フィルターレンズ保持環部１６の先端縁部にはフィルターレンズ２のフィルターレンズ前縁枠１７とフィルターレンズ２の嵌合枠１７ａが設けられている。
【０１０１】
而して、フィルターレンズ前縁枠１７と嵌合枠１７ａの後方部には、図２（Ａ）に示す如くカシメベロ部１８が円環状切削溝１９と曲げ変形用円周溝２０を刻設することにより形成されており、該フィルターレンズ前縁枠１７と嵌合枠１７ａにより嵌着保持されるフィルターレンズ２をその後方裏面にて挟持するカシメベロ部１８は、前記フィルターレンズ前縁枠１７と嵌合枠１７ａの後部にて光軸Ｃ方向に延びる支持縁外周部２１よりリング形状の円筒形状環状体２２を形成し、該カシメベロ部１８を形成するリング形状の円筒形状環状体２２の付け根部内径側には曲げ変形用円周溝２０を設けることにより、該曲げ変形用円周溝２０の底部後方部に曲げ変形内角部２３を設定し、該曲げ変形内角部２３を起点にカシメ加工を施す前記カシメベロ部１８の円筒形状環状体２２は曲げ変形内角部２３より前記フィルターレンズの面取り部当接面２４を被覆して、フィルターレンズ２の裏面に被覆加工された反射防止被膜２５の加工面縁部２６までを被覆する長さを有したカシメベロ部１８を形成している。尚、図２（Ａ）におけるφ４は反射防止被膜の被覆加工部径を示している。
【０１０２】
また、前記リング形状の円筒形状環状体２２が形成するカシメベロ部１８の内径部側には、フィルターレンズ２の後部に当接されフィルターレンズ２をフィルターレンズ前縁枠１７間で挟持固定するカシメ当接部２７が設けられている。そして、前記カシメ当接部２７に対向するフィルターレンズ２の裏面後部にはフィルターレンズ２の光軸Ｃに対して４５度程度の傾きを有する前記面取り当接面２４を設けており、該フィルターレンズの面取り当接面２４をカシメベロ部１８のカシメ当接部２７がカシメ加工により当接被覆し、該カシメベロ部１８の先端円周縁部２８は、フィルターレンズ２の裏面側にカシメられてフィルターレンズ２の裏面に被覆加工された反射防止被膜２５の加工面縁部２６までを被覆している。
尚、前記カシメベロ部１８は環状のカシメ用金型２９の型部３０とカシメ加工部３１により加圧変形されるもので、図（Ｂ）に示す如くカシメベロ部１８の当接部２７の先端部をフィルターレンズの面取り当接面２４に当接する物理的なカシメ加工が施される。
【０１０３】
従って、実施例１において、カメラレンズ鏡筒先端部に装着されるフィルター枠本体は、円環状のフィルター枠本体１を略二分して入射光側３を前筒枠５としカメラレンズ鏡筒側４を後筒枠６として形成する。そして、前記前筒枠５には入射光側３より前筒枠内径部７にアタッチメント装着用の雌ネジ部８を螺設し、また前記後筒枠６の外周部１１にはカメラレンズ鏡筒への螺着用雄ネジ部１２が螺設され、該雌ネジ部８と雄ネジ部１２からなるフィルター枠本体１の中央部内部側１５にはフィルターレンズ保持環部１６が光軸Ｃ側に突出して設けられ、該フィルターレンズ保持環部１６の先端部には環状のフィルターレンズ前縁枠１７が設けられ、該フィルターレンズ前縁枠１７の後方にフィルターレンズ２を嵌着保持し、該フィルターレンズ前縁枠１７に嵌着保持されたフィルターレンズ２を後方の裏面にて挟持するカシメベロ部１８は前記フィルターレンズ前縁枠１７の後部より光軸Ｃ方向に延びる支持縁外周部２１よりリング形状の円筒形状環状体２２を形成し、該カシメベロ部１８を形成するリング形状の円筒形状環状体２２の付け根部内径側には曲げ変形用円周溝２０を刻設することにより該曲げ変形用円周溝２０の底部後方部に曲げ変形内角部２３を設け、該曲げ変形内角部２３を起点にカシメ加工を施す前記カシメベロ部１８の円筒形状環状体２２は曲げ変形内角部２３より前記フィルターレンズ２の面取り部当接面２４を被覆してフィルターレンズ２裏面に被覆加工された反射防止被膜２５の加工面縁部２６までを被覆する長さを有したカシメベロ部１８からなるフィルター枠におけるフィルターレンズの保持機構を提供するものである。
【０１０４】
斯くして、図２（Ａ）、（Ｂ）に示す実施例１のフィルター枠におけるフィルターレンズの保持機構は、カシメ用金型２９によりカシメベロ部１８の先端部をカシメ加工する際に、カシメによる折り曲げ部分が直接フィルターレンズ２の後周縁部等に接触しておらず、カシメ加工時においてはフィルターレンズ前縁枠１７にはカシメ加工のための加圧変形力がかかることがなくなり、フィルターレンズ前縁部１７やフィルターレンズ前縁部１７を形成するフィルターレンズ保持環部１６の厚さｔ２は、カシメ加工時に力がかかることがないので薄い形状にすることができる。
【０１０５】
従って、フィルター枠本体１の厚さｔは、雌ネジ部８と逃げ溝９の最小機能で構成した前筒枠５の厚さｔ１と雄ネジ部１２と逃げ溝１３の最小機能で構成した後筒枠６の厚ｔ３に、従来よりも薄く製作可能なフィルターレンズ保持環部１６の厚さｔ２を加えることになり、全体として、フィルター枠本体１の光軸方向の厚さｔを最小限小さくすることができ、従来のフィルター枠に比較してケラレが発生し難いフィルターレンズの保持機構を提供することが可能になる。
【０１０６】
また、従来のフィルター枠におけるフィルターレンズの保持機構は、カシメ用のカシメベロ部全体を製作するにあたり円環状切削溝を刻設するものであり、該円環状切削溝は光軸Ｃ方向に深く切削してカシメベロ部を形成するものであり、且つ、前記円環状切削溝はカシメ用金型を挿入して加圧変形加工をするもので、該円環状切削溝は切削加工時においてその円環状切削溝の内径φ２寸法及び円環状切削溝の幅Ｗを大きく設定して刻設する必要があったが、本発明におけるカシメベロ部１８の形状は、カメラレンズ鏡筒側に開口する円環状切削溝１９と前記フィルルターレンズ２の円周縁部方向に開口する曲げ変形用円周溝２０の刻設によりフィルターレンズ前縁枠１７の後部よりリング形状を有してフィルターレンズ２の光軸Ｃ方向に延びる円筒形環状体２２を有するカシメベロ部１８を形成するもので、前記円環状切削溝１９の深さを非常に浅く構成でき、また円環状切削溝１９の幅Ｗを小さく形成できるので、前記フィルターレンズ保持環部１６の先端縁部に設けられるフィルターレンズ前縁部１７の内径を大きくすることができ、フィルター口径φが決められたフィルター枠本体１において、そのフィルターレンズの有効径φ３を著しく大きくしてケラレが発生し難いフィルターレンズの保持機構を提供することが可能になる。
【０１０７】
更に、図２（Ａ）、（Ｂ）に示す本発明のフィルターレンズの保持機構において、カシメ用金型２９によりカシメベロ部１８の先端部を折り曲げてカシメ加工する際に、カシメによる折り曲げ部分は、フィルルターレンズ２の円周縁部方向に開口する曲げ変形用円周溝２０により大きな空間を形成して直接フィルターレンズ２の後周縁部のコーナー部等に接触していないことから、前記フィルターレンズ２にカシメ加工のための加圧変形力が歪としてフィルターレンズ２に加わることがなく、フィルターレンズ２の保持精度やフィルターレンズ面の変形をさせることのないフィルターレンズの保持機構を提供できる。
【０１０８】
そして、本発明は、従来のフィルターレンズの保持機構が、フィルターレンズの後方でカシメベロ部のカシメ当接部を用いた面取り当接面への当接による挟持していた構造上の理由により、面取り当接面がカシメ当接面により前記面取り当接面を完全に被覆できず、被覆できない面取り当接面からの反射光がフィルターレンズの性能に悪影響及ぼす欠点や、フィルターレンズにおいて、面取り当接面の加工の後フィルターレンズの両面に光の反射防止被膜を被覆加工するにあたっては、傾きを有した面取り加工面を避けて反射防止被膜を被覆加工する必要があり面取り当接面の縁より反射防止被膜の円周縁部までは、０．５〜１．０ｍｍ程度の隙間が生じており、該面取り当接面の縁より反射防止被膜の円周縁部までの隙間は、光の反射防止被膜加工がなされていない部分となり、反射防止被膜のない隙間からは、反射光が入射してフィルターレンズの性能に悪影響をおよぼしていた欠点を解消するフィルターレンズの保持機構を提供するものである。そして、その構成は、フィルターレンズ２を後方の裏面にて挟持するカシメベロ部１８をフィルターレンズ前縁枠１７の後部より光軸Ｃ方向に延びる支持縁外周部２１よりリング形状の円筒形状環状体２２を形成し、該カシメベロ部１８を形成するリング形状の円筒形状環状体２２の付け根部内径側には曲げ変形用円周溝２０を刻設することにより該曲げ変形用円周溝２０の底部後方部に曲げ変形内角部２３を設け、該曲げ変形内角部２３を起点にカシメ加工を施す前記カシメベロ部１８の円筒形状環状体２２は曲げ変形内角部２３より前記フィルターレンズ２の面取り部当接面２４を被覆してフィルターレンズ２の裏面に被覆加工された反射防止被膜２５の加工面縁部２６までを被覆する長さを有したカシメベロ部１８を設けたことにある。
【０１０９】
また、本発明は、部品数をフィルター本体の部品とフィルターレンズの組み合わせと云ったように極端に軽減することができ、コストダウンと組立効率の向上をはかることが可能となり、カシメ加工によるフィルターレンズの保持機構は、フィルターレンズ前縁枠１７の有効口径φ３とフィルターレンズ後方にてカシメベロ部１８により挟持されるフィルターレンズの有効口径φ３が同一となるようカシメベロ部１８を形成する円筒形状環状体２２の長さを設定してフィルターの保持機構部の外観形状を美しく構成することが可能となると共に、前記カシメべロ部１８の形状は、リング形状の円筒形状環状体でカシメベロ部の長さ、即ち、フィルターレンズ２へのカシメ掛り代を大きく構成することができ、衝撃や振動に強い堅牢なフィルターレンズの保持機構を提供するのである。
【実施例２】
【０１１０】
図３（Ａ）、（Ｂ）は本発明の実施例２を説明するものであり、前記図２と同一符号は同一構成要素を示している。図３（Ａ）、（Ｂ）において、１はフィルター枠本体でアルミや真鍮による金属製の環状リングを切削加工にて製造される。また、２はフィルターレンズ、ｔはフィルター枠本体１の厚さ、３はフィルター枠本体の入射光側、４はフィルター枠本体のカメラレンズ鏡筒側を示しており、前記フィルター枠本体１はフィルター枠本体１を略二分して入射光側３を前筒枠５、カメラレンズ鏡筒側４を後筒枠６として一体的に形成されている。
【０１１１】
フィルター枠本体１の前筒枠５の内径部７には、フード等のアタッチメント装着用の雌ネジ部８が螺設されており、該雌ネジ部８のネジ基部には、逃げ溝９が刻設されている。そして、逃げ溝９は雌ネジ部８に螺合するアタッチメントの雄ネジがゆとりを持って螺着されネジ基部に設けられたストッパー面１０に当接する構成で、前記アタッチメントの雄ネジが固くかみ合うことなく前筒枠５の雌ネジ部８に着脱自在に螺合操作可能である。
【０１１２】
次に、フィルター枠本体１の後筒枠６の外周部１１には、カメラレンズ鏡筒への装着用雄ネジ部１２が螺設されており、該雄ネジ部１２のネジ基部には、逃げ溝１３が刻設されている。そして、この逃げ溝１３は、雄ネジ部１２が螺合するカメラレンズ鏡筒の雌ネジにゆとりを持って螺着されネジ基部に設けられたストッパー面１４に当接する構成を有しており、前記カメラレンズ鏡筒の先端部にフィルター枠本体１の雄ネジ部１２が固くかみ合うことなく着脱自在に螺合操作可能である。
【０１１３】
また、前記前筒枠５と後筒枠６の中央部内部側１５には環状のフィルターレンズ保持環部１６が光軸Ｃ側に突出した環状にて設けられ、該フィルターレンズ保持環部１６の先端縁部にはフィルターレンズ２のフィルターレンズ前縁枠１７とフィルターレンズ２の嵌合枠１７ａが設けられている。
【０１１４】
而して、フィルターレンズ前縁枠１７と嵌合枠１７ａの後方部には、図２（Ａ）に示す如くカシメベロ部１８が円環状切削溝１９と曲げ変形用円周溝２０を刻設することにより形成されており、該フィルターレンズ前縁枠１７と嵌合枠１７ａにより嵌着保持されるフィルターレンズ２をその後方裏面にて挟持するカシメベロ部１８は前記フィルターレンズ前縁枠１７と嵌合枠１７ａの後部にて光軸Ｃ方向に延びる支持縁外周部２１よりリング形状の円筒形状環状体２２を形成し、該カシメベロ部１８を形成するリング形状の円筒形状環状体２２の付け根部内径側には曲げ変形用円周溝２０を設けることにより、該曲げ変形用円周溝２０の底部後方部に曲げ変形内角部２３を設定し、該曲げ変形内角部２３を起点にカシメ加工を施す前記カシメベロ部１８の円筒形状環状体２２は曲げ変形内角部２３より前記フィルターレンズの面取り部当接面２４を被覆して、フィルターレンズ２の裏面に被覆加工された反射防止被膜２５の加工面縁部２６までを被覆する長さを有したカシメベロ部１８を形成している。
【０１１５】
斯くして、実施例２は、カシメベロ部１８のカシメ加工において、曲げ変形用円周溝２０の底部後方部に曲げ変形内角部２３を設定し、該曲げ変形内角部２３を起点にカシメ加工にて曲げ変形内角部２３を鋭角に折り曲げる作業が必要である。また、前記カシメベロ部１８は、フィルターレンズ２の面取り当接面２４を被覆した後、フィルターレンズ２の裏面側に加工された反射防止被膜２５の加工面縁部２６までを被覆しなくてはならないなめにカシメベロ部１８の先端円周縁部２８（図２（Ｂ）に示す）は、フィルターレンズ２の裏面側にてカシメ加工によりもう一度折り曲げ加工される。
【０１１６】
然しながら、フィルター枠本体１は、通常金属製素材（アルミ）にメッキして黒色アルマイトを化学的に研磨して表面を荒らしたサテン仕上げを施したものが多く、上記曲げ変形内角部２３とフィルターレンズ２の面取り当接面２４を被覆した後のカシメ加工部３２は、カシメ加工表面に割れやヒビ割れによる仕上げ変色部がでてしまい、製品の品質に悪影響を及ぼすことがある。
【０１１７】
実施例２は、カシメ加工表面に割れやヒビ割れによる仕上げ変色部がでてしまい、製品の品質に悪影響を及ぼすことを防止するためにカシメベロ部１８のカシメ加工の起点となる曲げ変形内角部２３に図３（Ａ）に示す如く折り曲げ補助用のＶ字形状カット溝３２とカシメベロ部１８のフィルターレンズの面取り当接面２４の角部に先端折り曲げ補助用のＶ字形状のカット溝３３を刻設した。
【０１１８】
従って、曲げ変形内角部２３の折り曲げ補助用のＶ字形状カット溝３０部分と先端折り曲げ補助用のＶ字形状のカット溝３３部は、カシメ加工により折り曲げた場合にカシメベロ部１８の表面に表れる角アールが小さくてシャープなものになり、カシメ加工による割れやヒビ割れによる仕上げ変色部が目立たない綺麗な筋形状の外観形状を有するフィルター保持枠を提供することができる。
【０１１９】
斯くして、本発明は、フィルター枠の光軸方向の寸法、即ちフィルター枠の厚さを薄型に形成したデジタルカメラ用のフィルター枠を提供し、該フィルター枠は、望遠レンズや広角レンズに装着してもケラレにくいフィルター枠を提供可能にした。
【０１２０】
また、本発明におけるフィルターレンズの保持機構は、フィルター口径の決まったフィルターにおいて、フィルター枠内に内蔵されるフィルターレンズの有効径を最大限大きく取ることの可能なフィルターレンズの保持機構を提供して、望遠レンズや広角レンズの前面に装着してもケラレにくいフィルター枠を提供可能にした。
【０１２１】
更に、本発明におけるフィルターレンズの保持機構は、フィルターレンズをフィルター枠内に内蔵、保持する際の固着時において、当該フィルターレンズには、物理的な歪や加熱による歪を付加しない状態にてフィルター枠内に各種のフィルターレンズを保持可能なカシメ加工手段を提供可能にし、フィルターレンズ２の保持精度の向上やフィルターレンズ面に変形を与えないフィルターレンズの保持機構を提供することができる。
【０１２２】
そして、本発明おいては、カメラレンズ鏡筒先端部に装着されるフィルター枠を薄型に製作することができるので、フィルターの重量を軽量化して、オートフォーカス用モーターの負担を軽減することが可能なフィルターを提供することができる。
【０１２３】
また、本発明は、従来のフィルター枠におけるフィルターレンズの保持機構が、フィルターレンズの後方でカシメベロ部のカシメ当接部を用いた面取り当接面への当接による挟持していた構造上の理由により、面取り当接面がカシメ当接面により前記面取り当接面を完全に被覆できず、被覆できない面取り当接面からの反射光がフィルターレンズの性能に悪影響及ぼす欠点や、フィルターレンズにおいて、面取り当接面の加工の後フィルターレンズの両面に光の反射防止被膜を被覆加工するにあたっては、傾きを有した面取り加工面を避けて反射防止被膜を被覆加工する必要があり面取り当接面の縁より反射防止被膜の円周縁部までは、０．５〜１．０ｍｍ程度の隙間が生じており、該面取り当接面の縁より反射防止被膜の円周縁部までの隙間は、光の反射防止被膜加工がなされていない部分となり、反射防止被膜のない隙間からは、反射光が入射してフィルターレンズの性能に悪影響をおよぼしていた欠点を解消するフィルターレンズの保持機構を提供することができる。
【０１２４】
更に、本発明は、部品数をフィルター本体の部品とフィルターレンズの組み合わせと云ったように極端に軽減することができ、コストダウンと組立効率の向上をはかることが可能となり、カシメ加工によるフィルターレンズの保持機構は、フィルターレンズ前縁枠の有効口径とフィルターレンズ後方にてカシメベロ部により挟持されるフィルターレンズの有効口径が同一となるようカシメベロ部を形成する円筒形状環状体の長さを設定してフィルターの保持機構部の外観形状を美しく構成すると共に、前記カシメべロ部１８の形状は、リング形状の円筒形状環状体でカシメベロ部の長さ、即ち、フィルターレンズ２へのカシメ掛り代を大きく構成することができ、衝撃や振動に強い堅牢なフィルターレンズの保持機構を提供することができるものである。
【０１２５】
更にまた、本発明は、フィルターレンズのカシメ加工部において、カシメベロ部に折り曲げ補助用のＶ字形状カット溝を設けることや、カシメベロ部のフィルターレンズの面取り当接面角部に先端折り曲げ補助用のＶ字形状のカット溝を設けることにより、カシメ加工面はカシメ加工時に割れやヒビ割れによる変色のない綺麗なメッキ仕上げ面が維持できるフィルター枠におけるフィルターレンズの保持機構を提供するものである。
【符号の説明】
【０１２６】
１  フィルター枠本体
２  フィルターレンズ
３  入射光
４  カメラレンズ鏡筒側
５  前筒枠
６  後筒枠
７  内径部
８  雌ネジ部
９  逃げ溝
１０  ストッパー面
１１  外周部
１２  雄ネジ部
１３  逃げ溝
１４  ストッパー面
１５  中央部内部側
１６  フィルターレンズ保持環部
１７  フィルターレンズ前縁枠
１７ａ  嵌合枠
１８  カシメベロ部
１９  円環状切削溝
２０  曲げ変形用円周溝
２１  支持縁外周部
２２  円筒形状環状体
２３  曲げ変形内角部
２４  面取り部当接面
２５  反射防止被膜
２６  加工面縁部
２７  カシメ当接部
２８  先端円周縁部
２９  カシメ用金型
３０  型部
３１  カシメ加工部
３２  折り曲げ補助用のＶ字形状カット溝
３３  先端折り曲げ補助用のＶ字形状カット溝
Ｃ    光軸
ｔ    フィルター枠本体の厚さ
ｔ１  前筒枠の厚さ
ｔ２  フィルターレンズ保持環部の厚さ
ｔ３  後筒枠の厚さ
φ１  フィルター口径
φ２  円環状切削溝の内径
φ３  フィルターレンズの有効径
φ４  反射防止被膜の被覆加工径
Ｗ    円環状切削溝の幅
【要約】
【課題】フィルターレンズをフィルター枠内に歪を与えることなく固着できる薄型で有効径の大きいフィルター保持機構を提供する。
【解決手段】フィルターレンズ前縁枠の後方に嵌着保持されフィルターレンズを裏面にて挟持するカシメベロ部は支持縁外周部よりリング形状の円筒形状環状体を形成し、該カシメベロ部の円筒形状環状体はフィルターレンズの面取り部当接面を被覆してフィルターレンズ裏面に被覆加工された反射防止被膜加工面縁部までを被覆する長さを有する。
【選択図】図２【図１】
0005577474.tif 000002
【図２】
0005577474.tif 000003
【図３】
0005577474.tif 000004
【図４】
0005577474.tif 000005
【図５】
0005577474.tif 000006
【図６】
0005577474.tif 000007